(57)【要約】      （修正有）【課題】設備コスト及び設置に伴う作業コストなどの全体の大幅なコストダウンを図るとともに、設備資材の無駄を生じにくくして資源節減に有効に貢献する果樹保護具を提供する。【解決手段】所定の目合の大きさに選定し、かつ所定の外郭形状Ｆに形成したネット部材２，若しくは果樹Ｔの枝Ｔｂ及び／又は果樹Ｔに付随して設置した設備資材に対して掛け止め方式により着脱し、かつネット部材２の外周縁に沿って所定間隔おきに取付けた、複数のフック部材を具備してなる一又は二以上の果樹保護具１を用意し、フック部材を果樹Ｔの枝Ｔｂ及び／又は設備資材に掛止することにより、ネット部材２により、少なくとも鳥獣が果樹Ｔの内部に侵入可能な当該果樹Ｔにおける開口空間部Ｓを覆うようにした。【選択図】図１
2020141584.tif 000002
【特許請求の範囲】
【請求項１】
果樹を鳥獣から保護する果樹保護具であって、所定の目合の大きさに選定し、かつ所定の外郭形状に形成したネット部材，並びに前記果樹の枝及び／又は前記果樹に付随して設置した設備資材に対して掛け止め方式により着脱し、かつ前記ネット部材の外周縁に沿って所定間隔おきに取付けた、複数のフック部材を具備してなることを特徴とする果樹保護具。
【請求項２】
前記ネット部材は、合成樹脂素材により形成し、前記外郭形状の少なくとも一方向に弾性変形可能に形成することを特徴とする請求項１記載の果樹保護具。
【請求項３】
前記ネット部材は、目合の大きさとして、１目を、５〜１０〔ｍｍ〕の範囲に選定してなることを特徴とする請求項１又は２記載の果樹保護具。
【請求項４】
果樹を鳥獣から保護する果樹保護方法であって、所定の目合の大きさに選定し、かつ所定の外郭形状に形成したネット部材，並びに前記果樹の枝及び／又は前記果樹に付随して設置した設備資材に対して掛け止め方式により着脱し、かつ前記ネット部材の外周縁に沿って所定間隔おきに取付けた、複数のフック部材を具備してなる一又は二以上の果樹保護具を用意し、前記フック部材を前記果樹の枝及び／又は前記設備資材に掛止することにより、前記ネット部材により、少なくとも鳥獣が果樹の内部に侵入可能な当該果樹における開口空間部Ｓを覆うことを特徴とする果樹保護方法。
【請求項５】
前記果樹には、少なくともブドウを含むツル性果樹を含むことを特徴とする請求項４記載の果樹保護方法。
【発明の詳細な説明】
【技術分野】
【０００１】
本発明は、リンゴやブドウ等の果樹の鳥獣害を防止する際に用いて好適な果樹保護具及び果樹保護方法に関する。
【背景技術】
【０００２】
一般に、リンゴやブドウ等の果樹栽培では、カラスやムクドリ等の鳥類、更にはアライグマやハクビシン等の獣類による被害が問題となっており、古くから光，音，天敵模型等により鳥獣を追い払う鳥獣害防止手段（忌避手段）が知られている。しかし、このような鳥獣害防止手段では、学習効果により次第に鳥獣が恐れなくなり、鳥獣害防止手段としての効果が限定的となるため、果樹や果樹園への鳥獣の侵入を阻止することにより、果樹を保護するようにした鳥獣害防止手段も用いられている。
【０００３】
従来、このような鳥獣害防止手段としては、特許文献１に開示される果樹覆いシートが知られている。この果樹覆いシートは、収穫間際の果実を雨害や鳥害から守るため、天井シート部を中心とし、開閉シートを具備した窓シート部、雨除けシート部、空気導入シート部を左右対称になるように横方向に一体的に連設し、ｌ列の果樹群を包み込み可能な画積を有する平視矩形状を呈するように形成され、さらに、天井シート部、開閉シート及び雨除けシート部は通気性及び雨除け機能を有するシートよりなるとともに、窓シート部と空気導入シート部は通水性及び天井シート部よりは通気性の高いシートよりなり、開閉シートは窓シート部の全面を被覆可能に設けたものである。
【先行技術文献】
【特許文献】
【０００４】
【特許文献１】特開２０１１−２２９５１７号公報
【発明の概要】
【発明が解決しようとする課題】
【０００５】
しかし、上述した特許文献１に記載される果樹覆いシートをはじめ、鳥獣の侵入を阻止する従来の鳥獣害防止手段は、次のような問題点があった。
【０００６】
第一に、比較的丈夫なシートやネット（ネット類）を使用し、保護対象物となる果樹や果樹園の回りのほぼ全体を覆うという基本的な思想により構築されるため、ネット類の使用量が多くなる傾向があるとともに、ネット類やこれを支持する支持部材などの設備には相応の強度が要求されるため、ネット類や支持部材などの設備コスト及び設置に伴う作業コストを含む全体のコストアップが無視できない。
【０００７】
第二に、大量のネット類や支持部材などを用いるかなり大掛かりな設備になるとともに、例えば、設置対象の果樹がリンゴであれば、果樹や圃場に応じた高さや面積などを考慮した固有の形態として構築する必要があるため、設置する果樹の対象を変更する場合、柔軟に対応（転用）しにくい。この結果、ネット類や支持部材等の設備資材に無駄が生じやすく、資源節減の観点からも望ましいものではない。
【０００８】
本発明は、このような背景技術に存在する課題を解決した果樹保護具及び果樹保護方法の提供を目的とするものである。
【課題を解決するための手段】
【０００９】
本発明に係る果樹保護具１は、果樹Ｔを鳥獣から保護する果樹保護具であって、所定の目合の大きさに選定し、かつ所定の外郭形状Ｆに形成したネット部材２，若しくは果樹Ｔの枝Ｔｂ及び／又は果樹Ｔに付随して設置した設備資材Ｍに対して掛け止め方式により着脱し、かつネット部材２の外周縁２ｆに沿って所定間隔Ｌｃ…おきに取付けた、複数のフック部材３…を具備してなることを特徴とする。
【００１０】
一方、本発明に係る果樹保護方法は、果樹Ｔを鳥獣から保護する果樹保護方法であって、所定の目合の大きさに選定し、かつ所定の外郭形状Ｆに形成したネット部材２，若しくは果樹Ｔの枝Ｔｂ及び／又は果樹Ｔに付随して設置した設備資材Ｍに対して掛け止め方式により着脱し、かつネット部材２の外周縁２ｆに沿って所定間隔Ｌｃ…おきに取付けた、複数のフック部材３…を具備してなる一又は二以上の果樹保護具１…を用意し、フック部材３…を果樹Ｔの枝Ｔｂ及び／又は設備資材Ｍに掛止することにより、ネット部材２により、少なくとも鳥獣が果樹Ｔの内部に侵入可能な当該果樹Ｔにおける開口空間部Ｓを覆うようにしたことを特徴とする。
【００１１】
また、本発明は、好適な態様により、ネット部材２は、合成樹脂素材Ｒにより形成し、外郭形状Ｆの少なくとも一方向Ｄｅに弾性変形可能に形成することができるとともに、このネット部材２は、目合の大きさとして、１目を、５〜１０〔ｍｍ〕の範囲に選定することが望ましい。なお、果樹Ｔには、少なくともブドウＧを含むツル性果樹Ｔｖを含ませることができる。
【発明の効果】
【００１２】
このような本発明に係る果樹保護具１及び果樹保護方法によれば、次のような顕著な効果を奏する。
【００１３】
（１）  果樹保護具１は、所定の目合の大きさに選定し、かつ所定の外郭形状Ｆに形成したネット部材２，若しくは果樹Ｔの枝Ｔｂ及び／又は果樹Ｔに付随して設置した設備資材Ｍに対して掛け止め方式により着脱し、かつネット部材２の外周縁２ｆに沿って所定間隔Ｌｃ…おきに取付けた、複数のフック部材３…を具備してなるため、果樹保護具１は、所定の対象部位に対してのみ局所的に設置可能になり、ネット部材２の使用量を大幅に低減できるとともに、設置に際しては、果樹保護具１…以外の別途の支持部材等が不要になる。これにより、設備コスト及び設置に伴う作業コストなど、全体の大幅なコストダウンを図ることができる。
【００１４】
（２）  果樹保護方法を実施するに際しては、一又は二以上の果樹保護具１…を用意し、フック部材３…を果樹Ｔの枝Ｔｂ及び／又は設備資材Ｍに掛止することにより、ネット部材２により、少なくとも鳥獣が果樹Ｔの内部に侵入可能な当該果樹Ｔにおける開口空間部Ｓを覆うようにしたため、設置する対象部位に対して容易に着脱可能になり、果樹Ｔの異なる位置又は異なる果樹Ｔのように、設置する開口空間部Ｓを変更する場合であっても柔軟に対応（転用）することができる。これにより、設備資材Ｍに無駄が生じにくくなり、資源節減にも有効に貢献できる。
【００１５】
（３）  好適な態様により、ネット部材２を、合成樹脂素材Ｒにより形成し、外郭形状Ｆの少なくとも一方向Ｄｅに弾性変形可能に形成すれば、形状的に一種類の果樹保護具１…であっても、形状の変形により、更には二枚以上の組合わせ使用により、鳥獣が果樹Ｔの内部に侵入可能となる様々な大きさの開口空間部Ｓに対して柔軟に対応させることができるとともに、保管や管理の容易性及び利便性にも優れる。
【００１６】
（４）  好適な態様により、ネット部材２における目合の大きさとして、１目を、５〜１０〔ｍｍ〕の範囲に選定すれば、カラス等の鳥類の進入を確実に阻止できるのみならず、鳥類のクチバシの挿入、即ち、クチバシによる採餌動作を阻止できるため、鳥害を有効に回避して果樹Ｔを有効に保護することができる。
【００１７】
（５）  好適な態様により、果樹Ｔには、少なくともブドウＧを含むツル性果樹Ｔｖを含むため、特に、ツル性果樹Ｔｖとなるブドウ栽培にも適用できる。したがって、鳥獣による被害が無視できないブドウ栽培に対しても有効に機能させることができるなど、様々な果樹Ｔ…に幅広く利用でき、汎用性及び発展性に優れる。
【図面の簡単な説明】
【００１８】
【図１】本発明の好適実施形態に係る果樹保護方法により果樹に設置した果樹保護具の状態を示す使用説明図、
【図２】同果樹保護具の一部省略斜視図、
【図３】同果樹保護具に備えるフック部材の側面図、
【図４】同果樹保護具に備えるネット部材の部分抽出拡大図を含む一部を省略した模式的構成図、
【図５】同果樹保護具の使用時における斜視図、
【図６】同果樹保護方法によりブドウ棚の果樹に設置した果樹保護具の状態を示す使用説明図、
【図７】同果樹保護具に備えるネット部材の変更例を示す一部を省略した模式的形状図、
【図８】同果樹保護具に備えるネット部材の他の変更例を示す一部を省略した模式的形状図、
【図９】同果樹保護具と組合わせて使用可能なプロテクタの使用状態を示す外観正面図、
【図１０】同プロテクタの使用状態の断面構造を示す正面図、
【発明を実施するための形態】
【００１９】
次に、本発明に係る好適実施形態を挙げ、図面に基づき詳細に説明する。
【００２０】
まず、本実施形態に係る果樹保護具１の構成について、図２〜図４を参照して具体的に説明する。
【００２１】
図２に示すように、果樹保護具１の全体構成は、一枚のネット部材２と複数のフック部材３…を備える。
【００２２】
ネット部材２は、図４に示す一部抽出拡大図のように、菱形状の網目２ｐ…を有し、かつ全体が所定の外郭形状Ｆとなるように、合成樹脂素材Ｒにより一体形成する。ネット部材２の形成素材は、強度に優れ、かつ低コストに製作できるものが望ましい。したがって、例示の素材には、ポリエチレン（ＰＥ）を用いた。なお、形成素材は、このような特定の合成樹脂素材Ｒに限定されるものではなく、各種素材を利用することができる。
【００２３】
網目２ｐ…は、所定の目合の大きさに選定する。１目（網目２ｐ）の大きさＬｅは、５〜１０〔ｍｍ〕の範囲、より望ましくは７〜８〔ｍｍ〕の範囲で選定できる。このように、ネット部材２における目合の大きさとして、１目を、５〜１０〔ｍｍ〕の範囲に選定すれば、カラス等の鳥類の進入を確実に阻止できるのみならず、鳥類のクチバシの挿入、即ち、クチバシによる採餌動作を阻止できるため、鳥害を有効に回避して果樹Ｔを有効に保護できる利点がある。また、ネット部材２の網線２ｒの太さＬｄは、特定の太さに限定されるものではないが、一例として、０．２〜０．３〔ｍｍ〕に選定することができる。
【００２４】
また、例示するネット部材２の外郭形状Ｆは、短辺２ｓと長辺２ｍを有する短冊状となり、例示のディメンションは、短辺２ｓの長さＬｓが約２０〔ｃｍ〕、長辺２ｍの長さＬｍが約１００〔ｃｍ〕である。この場合、短辺２ｓの長さＬｓは、外力が付加されない自然状態の長さである。したがって、例示のネット部材２は、合成樹脂素材Ｒ（ＰＥ素材）により一体成形するため、自然状態の短辺２ｓは短縮した状態となるとともに、図４に示す矢印Ｄｅ方向に引張ることにより伸長させることができ、伸長時の長さＬｋは、仮想線で示すように、短縮時の長さＬｓに対して概ね４〜５倍程度となる。例示の場合、短辺２ｓの長さＬｓは約２０〔ｃｍ〕であるため、伸長時の長さＬｋは、長辺２ｍの長さＬｍ（１００〔ｃｍ〕）と同程度まで弾性変形可能となる。
【００２５】
このように、ネット部材２を形成するに際し、合成樹脂素材Ｒにより形成し、外郭形状Ｆの少なくとも一方向Ｄｅに弾性変形可能に形成すれば、形状的に一種類の果樹保護具１…であっても、形状の変形により、更には二枚以上の組合わせ使用により、鳥獣が果樹Ｔの内部に侵入可能となる様々な大きさの開口空間部Ｓに対して柔軟に対応させることができるとともに、保管や管理の容易性及び利便性にも優れる利点がある。
【００２６】
さらに、ネット部材２は、ピンク色又は濃いピンク色により着色することが望ましい。ピンク色、より望ましくは、濃いピンク色に選定すれば、経験上、鳥類（カラス，ムクドリ等）に対する忌避色と思われる着色を付加できるため、鳥類に対する忌避効果をより高めることができる。
【００２７】
他方、フック部材３は、図３に示すように、Ｓ字状の基本形態を有する線材の一方の円形部をネット部材２の網線２ｒに取付可能な取付部３ｊとして形成し、他方の円形部を果樹Ｔの枝Ｔｂ及び／又は果樹Ｔに付随して設置した棒材若しくは線材Ｍｗを含む設備資材Ｍ（図６参照）に掛止可能な一部を開放した掛止部３ｓとして形成する。したがって、例示のフック部材３は、取付部３ｊが小径のリング円形状となり、掛止部３ｓはＣ形状となる。これにより、フック部材３は、果樹Ｔの枝Ｔｂ及び／又は設備資材Ｍに対して、掛け止め方式により着脱するフック部材３として構成される。
【００２８】
また、フック部材３の形成素材には、金属素材や硬質の合成樹脂素材を用いる。特に、フック部材３を形成する線材の太さは、掛止部３ｓを掛止状態にした際に容易に外れない太さであって、かつやや弾性変形する太さを選定することが望ましい。これにより、取付部３ｊに形成される僅かな隙間又は接触部から、ネット部材２の網線２ｒを、図３に示すように、当該取付部３ｊの内部に容易に収容することができる。
【００２９】
さらに、このフック部材３は、複数個用意し、図２及び図４に示すように、ネット部材２の外周縁２ｆに沿って所定間隔Ｌｃ…おきに取付ける。図２は、合計十八個取り付けた例を示し、各短辺２ｓ，２ｓに三つのフック部材３…を等間隔に配するとともに、各長辺２ｍ，２ｍに六個のフック部材３…を等間隔に配した。これにより、図２に示す目的とする果樹保護具１を得ることができる。
【００３０】
このように、本実施形態に係る果樹保護具１は、基本的な構成として、果樹Ｔを鳥獣から保護する果樹保護具であって、所定の目合の大きさに選定し、かつ所定の外郭形状Ｆに形成したネット部材２，若しくは果樹Ｔの枝Ｔｂ及び／又は果樹Ｔに付随して設置した設備資材Ｍに対して掛け止め方式により着脱し、かつネット部材２の外周縁２ｆに沿って所定間隔Ｌｃ…おきに取付けた、複数のフック部材３…を具備してなるため、果樹保護具１は、所定の対象部位に対してのみ局所的に設置可能になり、ネット部材２の使用量を大幅に低減できるとともに、設置に際しては、果樹保護具１…以外の別途の支持部材等が不要になる。これにより、設備コスト及び設置に伴う作業コストなど、全体の大幅なコストダウンを図ることができる。
【００３１】
次に、本実施形態に係る果樹保護方法を含む上述した果樹保護具１の使用方法について、図１〜図５を参照して説明する。
【００３２】
まず、果樹保護具１を使用するに際しては、必要と思われる複数（又は一つ）の果樹保護具１…を用意する。
【００３３】
図１は、果樹保護具１…を設置する対象となる果樹Ｔを示す。例示は、リンゴＡを栽培する果樹Ｔを示す。なお、図１中、Ｔａは幹、Ｔｂ…は枝、Ｔｒ…は葉、Ａ…はリンゴを示す。この種の果樹Ｔでは、果樹Ｔの所々における、相隣る葉Ｔｒ…を付けた枝Ｔｂ…と葉Ｔｒ…を付けた枝Ｔｂ…の間に、大小様々な開口空間Ｓ…が存在し、この開口空間Ｓ…は、鳥獣、特に、鳥が果樹Ｔの内部に侵入するための出入口となる。このため、本実施形態に係る果樹保護方法では、図１に示すように、これらの大小様々な開口空間Ｓ…に対して、前述した果樹保護具１…を付設し、これらの開口空間Ｓ…を覆うことにより、この出入口を遮断するようにした。
【００３４】
果樹保護具１を設置するに際しては、図１に示すように、所定の開口空間Ｓに果樹保護具１（ネット部材２）を宛てがうとともに、図５に示すように、任意のフック部材３の掛止部３ｓを、適切な位置の枝Ｔｂに掛け止めればよい。そして、複数のフック部材３…の全部又は一部を、近くに存在する枝Ｔｂ…に掛けて止めれば、図１に示すように、ネット部材２が開口空間Ｓを覆い、鳥の出入口となる当該開口空間Ｓを外部に対して遮断することができる。この際、ネット部材２は、合成樹脂素材Ｒにより形成し、外郭形状Ｆの少なくとも一方向Ｄｅに弾性変形可能に形成するため、形状的に一種類の果樹保護具１…であっても、大小様々な大きさの開口空間Ｓに対して柔軟に対応させることができる。なお、設置に際しては、ハシゴを利用して行うことができる。したがって、特別な道具を用意することなく、極めて容易に設置することができる。
【００３５】
このように、本実施形態に係る果樹保護方法は、果樹Ｔを鳥獣から保護するに際し、一又は二以上の果樹保護具１…を用意し、フック部材３…を果樹Ｔの枝Ｔｂ及び／又は設備資材Ｍに掛止することにより、ネット部材２により、少なくとも鳥獣が果樹Ｔの内部に侵入可能な当該果樹Ｔにおける開口空間部Ｓを覆うようにしたため、設置する対象部位に対して容易に着脱可能になり、果樹Ｔの異なる位置又は異なる果樹Ｔのように、設置する開口空間部Ｓを変更する場合であっても柔軟に対応（転用）することができる。これにより、設備資材Ｍに無駄が生じにくくなり、資源節減にも有効に貢献できる。
【００３６】
次に、本実施形態に係る果樹保護方法及び果樹保護具１の変更例について、図６〜図１０を参照して説明する。
【００３７】
図６は、ブドウ栽培に、本実施形態に係る果樹保護方法を適用した場合の変更例を示すとともに、図７及び図８は、果樹保護具１の、特に、ネット部材２の形状的な変更例を示し、さらに、図９及び図１０は、ブドウ栽培に、本実施形態に係る果樹保護方法を適用した場合の変更例（応用例）を示す。
【００３８】
図６は、ブドウ棚５０の線材（ワイヤ）Ｍｗ…に巻き付いたツル６１から派生した複数のブドウＧ…及び葉Ｔｒ…を示している。この場合、ブドウ棚５０を構成する線材（ワイヤ）Ｍｗ…や他の部材が設備資材Ｍとなる。このようなブドウ棚５０を用いてブドウ栽培を行うツル性果樹Ｔｖであっても、鳥獣（特に鳥）が果樹Ｔの内部に侵入可能な当該果樹Ｔにおける開口空間部Ｓが存在するため、図６に示すように、当該開口空間Ｓに対して上から果樹保護具１（ネット部材２）により覆い、各フック部材３…を果樹Ｔの枝Ｔｂ及び／又は設備資材Ｍに掛止すればよい。なお、図６は、各フック部材３…を線材（ワイヤ）Ｍｗに掛け止めした例を示している。
【００３９】
このように、ツル性果樹Ｔｖであっても本実施形態に係る果樹保護方法を適用できるため、特に、ツル性果樹Ｔｖとなるブドウ栽培にも適用できる。したがって、鳥獣による被害が無視できないブドウ栽培に対しても有効に機能させることができるなど、様々な果樹Ｔ…に幅広く利用でき、汎用性及び発展性に優れる。
【００４０】
さらに、通常の果樹Ｔの場合と同様に、果樹保護具１…を、所定の対象部位に対してのみ局所的に設置可能になり、ネット部材２の使用量を大幅に低減できるとともに、設置に際しては、果樹保護具１…以外の別途の支持部材等が不要になる。これにより、設備コスト及び設置に伴う作業コストなど、全体の大幅なコストダウンを図ることができる。加えて、設置する対象部位に対して容易に着脱可能になり、果樹Ｔの異なる位置又は異なる果樹Ｔのように、設置する開口空間部Ｓを変更する場合であっても柔軟に対応（転用）することができる。これにより、設備資材Ｍに無駄が生じにくくなり、資源節減にも有効に貢献できる。
【００４１】
一方、図７及び図８は、果樹保護具１におけるネット部材２の形状的な変更例を示す。図７（ａ）〜（ｃ）は、外郭形状Ｆが矩形の場合であって、その大きさ又は長短辺の比率を変更したものである。前述した図２の果樹保護具１のネット部材２がＭサイズの外郭形状Ｆとした場合、図７（ａ）の変更例はＳサイズの外郭形状Ｆｔを示し、図７（ｂ）の変更例はＬサイズの外郭形状Ｆｔを示している。また、図７（ｃ）は、長辺２ｍと短辺２ｓの比率の変更例である。即ち、図２に示したネット部材２の長辺２ｍと短辺２ｓの比率が概ね５：１であるのに対して、図７（ｃ）の変更例は長辺２ｍと短辺２ｓの比率を概ね１：１に選定したものである。さらに、図８は、ネット部材２の外郭形状Ｆを、矩形以外の形状に変更したものである。図８（ａ）の変更例は円形の外郭形状Ｆｃを示し、図８（ｂ）の変更例は三角形の外郭形状Ｆｓを示す。このように、ネット部材２の外郭形状Ｆの形状や大きさは、任意に変更して実施可能である。
【００４２】
図９及び図１０に示す変更例は、ブドウ栽培において、前述した本実施形態に係る果樹保護方法の実施に加え、ネット部材２を用いて構成したプロテクタ２ｅを使用した実施を組合わせたものである。
【００４３】
この場合、プロテクタ２ｅは、図９及び図１０に示すように、ブドウ袋７２の少なくとも横方向の外面７２ｆを覆い、かつ一端２ｅｕと他端２ｅｄを開口したチューブ形となるように、全体をネット部材２により構成したものである。これにより、プロテクタ２ｅは、ブドウ棚５０により栽培されるブドウＧに対する袋掛けと同時に又は袋掛け後に、ブドウ袋７２の外面７２ｆに装着して使用することができる。この場合、チューブ形に構成するプロテクタ２ｅの径を、ブドウ袋７２の径よりも稍小径に選定するとともに、プロテクタ２ｅの軸方向の長さをブドウ袋７２の軸方向の長さよりも稍長く選定すれば、ブドウ袋７２の外面７２ｆにプロテクタ２ｅが圧接し、かつ図１０に示すように、プロテクタ２ｅの一端２ｅｕと他端２ｅｄが内側に窄まるため、ブドウ袋７２からのプロテクタ２ｅの離脱が回避される。
【００４４】
このように、プロテクタ２ｅ…の使用を、本実施形態に係る果樹保護具１…の使用と併用すれば、果樹Ｔ（ブドウＧ）に対する、より効果的な保護、即ち、鳥獣害の防止を図ることができる。なお、図９及び図１０において、７３はブドウ袋７２の上端に設けたワイヤ、７４はこのワイヤ７３とブドウ袋７２の上端を捩ることにより枝Ｔｂに巻き付けた捩り固定部、７５は傘紙を示す。その他、図９及び図１０において、図６と同一部分には同一符号を付してその構成を明確にするとともにその詳細な説明は省略する。
【００４５】
以上、変更例を含む好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４６】
例えば、ネット部材２は、合成樹脂素材Ｒにより形成し、外郭形状Ｆの少なくとも一方向Ｄｅに弾性変形可能に形成することが望ましいが、必ずしもこの形態に限定されるものではない。したがって、使用する素材には、天然繊維素材や金属素材の使用を排除しないとともに、大小様々なサイズを用意して実施すれば、弾性変形可能なネット部材２は条件にならない。また、ネット部材２は、目合の大きさとして、１目を、５〜１０〔ｍｍ〕の範囲に選定することが望ましいが、必ずしもこの範囲に限定されるものではなく、設置地域，設置する果樹Ｔの種類，環境等に応じて任意に選定することができる。さらに、果樹Ｔには、ブドウＧを含むツル性果樹Ｔｖをはじめ、同様に設置可能な他の各種果樹Ｔに適用可能である。
【産業上の利用可能性】
【００４７】
本発明は、例示したリンゴやブドウをはじめ、ナシやモモ等の各種果樹の鳥獣害を防止して果樹を保護する際の果樹保護具及び果樹保護方法として利用できる。
【符号の説明】
【００４８】
１…：果樹保護具，２：ネット部材，２ｆ：ネット部材の外周縁，３…：フック部材，Ｔ：果樹，Ｔｂ：枝，Ｔｖ：ツル性果樹，Ｆ：外郭形状，Ｍ：設備資材，Ｌｃ…：所定間隔，Ｓ：開口空間部，Ｒ：合成樹脂素材，Ｄｅ：外郭形状の一方向，Ｇ：ブドウ
【図１】
2020141584.tif 000003
【図２】
2020141584.tif 000004
【図３】
2020141584.tif 000005
【図４】
2020141584.tif 000006
【図５】
2020141584.tif 000007
【図６】
2020141584.tif 000008
【図７】
2020141584.tif 000009
【図８】
2020141584.tif 000010
【図９】
2020141584.tif 000011
【図１０】
2020141584.tif 000012